(57)【特許請求の範囲】
【請求項１】
可変体エレメントであるワイヤロープの繰り出し手段を工事作業現場の巻きつけ手段から離れた場所に設置し、
前記ワイヤロープの一端が接続されて、巻きつけられた前記繰り出し手段から当該ワイヤロープを繰り出して、当該ワイヤロープの他端を前記巻きつけ手段に接続し、
前記巻きつけ手段を第１回転制御手段によって回転させて、繰り出されたワイヤロープを巻きつけ手段に巻きつけることにより、
前記繰り出し手段に巻きつけられているワイヤロープの重量を、前記巻きつけ手段に、任意の重量だけ移動させることを特徴とする、
機器用又は工作物用の任意重量に調整可能なウエイトの設置方法。
【請求項２】
前記繰り出し手段に、当該繰り出し手段を回転させる第２回転制御手段を設けることを特徴とする、請求項１に記載の機器用又は工作物用の任意重量に調整可能なウエイトの設置方法。
【請求項３】
前記繰り出し手段と前記巻きつけ手段の間の適宜の箇所に滑車を設け、前記繰り出し手段から繰り出されたワイヤロープの他端が、当該滑車を通して、前記巻きつけ手段に接続されていることを特徴とする、請求項１又は２に記載の機器用又は工作物用の任意重量に調整可能なウエイトの設置方法。
【請求項４】
可変体エレメントであるワイヤロープと、
当該ワイヤロープの一端が接続されて、巻きつけられた繰り出し手段と、
当該ワイヤロープの他端が接続された巻きつけ手段と、
当該巻きつけ手段を回転させる第１回転制御手段とからなることを特徴とする、請求項１ないし３のいずれかに記載の機器用又は工作物用の任意重量に調整可能なウエイトの設置方法に使用する任意重量に調整可能なウエイト。
【請求項５】
可変体エレメントを充填する充填先の容器を、工事作業現場の当該充填先の容器より高い位置に配置され、可変体エレメントが充填されている充填元の容器から離れた場所に設置し、
前記充填元の容器から前記充填先の容器までの間に流体移動可能体を配設し、
当該流体移動可能体を通じて、可変体エレメントを任意の重量だけ充填先の容器に移動させることを特徴とする、機器用又は工作物用の任意重量に調整可能なウエイトの設置方法。
【請求項６】
前記可変体エレメントが、水、お湯、泥、土砂、金属粉の流体であることを特徴とする、請求項５に記載の機器用又は工作物用の任意重量に調整可能なウエイトの設置方法。
【発明の詳細な説明】
【技術分野】
【０００１】
この発明は、工事用車両が搬入できないような狭隘な場所においてウインチ等の使用機器を固定する重しとして、または仮設の工作物の基礎の重しとして使用する任意重量に調整可能なウエイト及びそのウエイトの設置方法に関するものである。
【背景技術】
【０００２】
送電線、配電線、通信線等の配線工事では、電線の端部をウインチ等で引っ張る場合、電線の張力が大きく、ウインチが引きずられる場合がある。それを回避するため、ウインチ等の使用機器を固定するための重しとして、または仮設の工作物の基礎等の重しとしてウエイトを必要とする場合が数多くある。
【０００３】
このようなウインチ等の使用機器を固定する場合のウエイトは、図８のように、ウインチから少し離れた場所に掘った竪穴に、根枷（例えば、横配置の丸太やＨ鋼を、機器を接続するためのワイヤを取付けた状態で、掘削土で埋めたり、または、コンクリートを打設して、引揚力に対するアンカーの役割を果たすもの。）を設け、これをウエイトとして使用することが行われている。なお、図８においては、ウインチ２３から少し離れた場所に掘った竪穴に、ウインチ２３を接続するためのワイヤ２４を取付けた状態のＨ鋼２５を、掘削土で埋めて構成した根枷２６が示されている。
【０００４】
また、仮設の工作物の基礎等の重しとしてウエイトを必要とする場合は、例えば、特許文献１の従来技術例に示されているように、大型クレーンの後部にカウンタウエイトを取り付け、大型クレーンを固定するための重しとして、カウンタウエイトを使用している。
【特許文献１】特許第３２７８０６３号公報
【発明の開示】
【発明が解決しようとする課題】
【０００５】
しかしながら、ウエイトはそれ自体の「重さ」を利用するものであるため、より重いほどその機能を発揮する。一般的には、ウエイトとして、コンクリートブロックや金属塊が用いられてきた。そのためこのようなウエイトの取り扱いには、大型のクレーン等の荷役装置が必要となる。
【０００６】
また、上述したように，掘削して根枷を埋設して構築するウエイトの場合、重機や車両が搬入できないような狭隘な場所（例えば、住宅地、水田、田畑、丘陵地，谷間などの沢）では、スペースがない、足場が安定しない等の理由で、荷役装置が使用できず、ウエイトを活用した工事を行えないのが現状であった。
【０００７】
また、通常、ウエイトを使用する状況や場所に応じて、必要とされるウエイトの重量は異なるため、重量の異なる多種類のウエイトを取り揃えておく必要がある。
【０００８】
また、ウエイトとしての使用後は、埋設した根枷（丸太、Ｈ鋼等）を撤去するため、再度、掘削したり、コンクリートの取壊し等に長時間，多くの労力を要していた。また取壊したコンクリートは産業廃棄物として処理しなければならなかった。
【０００９】
そこで、この発明は、上記従来技術を考慮したものであって、使用する状況や場所に応じたウエイト及びそのウエイトを容易に設置ないし撤去する方法の提供を目的とするものである。
【課題を解決するための手段】
【００１０】
前記目的を達成するために、請求項１の発明では、可変体エレメントであるワイヤロープの繰り出し手段を工事作業現場の巻きつけ手段から離れた場所に設置し、前記ワイヤロープの一端が接続されて、巻きつけられた前記繰り出し手段から当該ワイヤロープを繰り出して、当該ワイヤロープの他端を前記巻きつけ手段に接続し、前記巻きつけ手段を第１回転制御手段によって回転させて、繰り出されたワイヤロープを巻きつけ手段に巻きつけることにより、前記繰り出し手段に巻きつけられているワイヤロープの重量を、前記巻きつけ手段に、任意の重量だけ移動させる機器用又は工作物用の任意重量に調整可能なウエイトの設置方法とした。
【００１１】
請求項２の発明では、前記繰り出し手段に、当該繰り出し手段を回転させる第２回転制御手段を設ける請求項１に記載の機器用又は工作物用の任意重量に調整可能なウエイトの設置方法とした。
【００１２】
請求項３の発明では、前記繰り出し手段と前記巻きつけ手段の間の適宜の箇所に滑車を設け、前記繰り出し手段から繰り出されたワイヤロープの他端が、当該滑車を通して、前記巻きつけ手段に接続されている請求項１又は２に記載の機器用又は工作物用の任意重量に調整可能なウエイトの設置方法とした。
【００１３】
請求項４の発明では、可変体エレメントであるワイヤロープと、当該ワイヤロープの一端が接続されて、巻きつけられた繰り出し手段と、当該ワイヤロープの他端が接続された巻きつけ手段と、当該巻きつけ手段を回転させる第１回転制御手段とからなる請求項１ないし３のいずれかに記載の機器用又は工作物用の任意重量に調整可能なウエイトの設置方法に使用する任意重量に調整可能なウエイトとした。
【００１４】
請求項５の発明では、可変体エレメントを充填する充填先の容器を、工事作業現場の当該充填先の容器より高い位置に配置され、可変体エレメントが充填されている充填元の容器から離れた場所に設置し、前記充填元の容器から前記充填先の容器までの間に流体移動可能体を配設し、当該流体移動可能体を通じて、可変体エレメントを任意の重量だけ充填先の容器に移動させる機器用又は工作物用の任意重量に調整可能なウエイトの設置方法とした。
【００１５】
請求項６の発明では、前記可変体エレメントが、水、お湯、泥、土砂、金属粉の流体である請求項５に記載の機器用又は工作物用の任意重量に調整可能なウエイトの設置方法とした。
【発明の効果】
【００１６】
請求項１〜４の発明によれば、ワイヤロープ等の可変体エレメントを、繰り出し手段から繰り出して、車両が入らない狭隘で、離れた場所に設置された巻きつけ手段に巻きつける構成である。すなわち、重りとなる可変体エレメントを徐々に巻きつけ手段の設置箇所に運び込む構成であるため、クレーン等の重機を使用せずに、任意の場所に、ウエイトを設置することができる。
【００１７】
また、巻きつけ手段の設置箇所までの経路途中に、住宅の間等の狭隘な箇所が存在する場合でも、当該狭隘な箇所を通して、ウエイトを設置することができる。さらに、巻きつけ手段に巻きつける可変体エレメントであるワイヤロープの量を調節することで、必要に応じたウエイトを適宜提供することができる。
【００１８】
また特に請求項２の発明によれば、巻きつけ手段だけでなく、繰り出し手段にも回転制御手段を設ける構成とすることによって、よりスムーズにワイヤロープ等の繰り出し、巻きつけを行うことができ、便宜である。また繰り出し手段にも回転制御手段を設ける構成とすることによって、ウエイトを撤去ないし回収する場合に、繰り出し手段に、使用したワイヤロープを戻して巻きつけることが可能となり、作業終了時の時間短縮等に効果的である。
【００１９】
また特に、請求項３の発明によれば、繰り出し手段と巻きつけ手段の間の適宜の箇所に滑車を設ける構成としたため、巻きつけ手段の設置箇所までの経路が屈曲している場合であっても、スムーズに経路を確保することができ、便宜である。
【００２０】
請求項５及び６の発明は、水等の可変体エレメントを、ホース等の流体移動可能体を通じて、充填元の容器から充填先の容器に移動させる構成である。すなわち、重りとなる可変体エレメントを徐々に充填先の容器に移動させる構成であるため、クレーン等の重機を使用せずに、任意の場所に、任意の重量のウエイトを設置することができる。
【発明を実施するための最良の形態】
【００２１】
この発明は、巻きつけ手段を繰り出し手段から離れた場所に設置し、可変体エレメントであるワイヤロープの一端が接続されて、巻きつけられた繰り出し手段からワイヤロープを繰り出して、当該ワイヤロープの他端を前記巻きつけ手段に接続し、前記巻きつけ手段を第１回転制御手段によって回転させて、繰り出されたワイヤロープを巻きつけ手段に巻きつけることにより、前記繰り出し手段に巻きつけられているワイヤロープの重量を、前記巻きつけ手段に、任意の重量だけ移動させる構成とすることによって、クレーン等の重機を使用せずに、作業員等の人力で、任意の場所に、必要に応じたウエイトを適宜設置することができる。
【実施例１】
【００２２】
通常、ウインチやウエイトを配設できないような狭隘な場所で、鉄塔１４の電線ケーブル２０を牽引するウインチ２３等の使用機器を固定する場合には、金車２２を介して、図９に示すように鉄塔１４とほぼ並ぶようにして根枷２６を設置する。
【００２３】
しかし、図９における点線２７で囲まれたような状態の根枷２６を設置するスペースがない場合もある。そこで、そのような場合に、図１では、単にウエイトを配設することにより、ウインチ２３等の使用機器を固定するように構成した、ウエイトＡを示している。鉄塔１４は、鉄塔アーム１９を有しており、鉄塔アーム１９の端部まで電線ケーブル２０が張られている。そして電線ケーブル２０の端部は、金車２２を介してワイヤ２１の一端と接続され、当該ワイヤ２１の他端はウインチ２３まで牽引され、このウインチ２３のホイール(図示省略)に巻き回され、リールワインダ(図示省略)に巻き回されて固定されている。また、ウインチ２３は、ワイヤロープ１が巻きつけられた巻きつけ手段３とワイヤ１７で接続され、ウエイトで固定されている。
【００２４】
また図１は、後述する図７と同様、巻きつけ手段３の設置箇所までの経路の途中に、構築物等狭隘な箇所があっても、滑車１５を設けることにより、トラック１３上の繰り出し手段２から、ウエイトＡを簡単に設置することができることを示している。
【００２５】
図２は、ウエイトＡの巻きつけ手段３のドラム５を、第１回転制御手段４によって回転させて、可変体エレメントであるワイヤロープ１を巻きつけ手段３のドラム５に巻きつけている状態を示す斜視図である。
【００２６】
ウエイトＡは主として、ワイヤロープ１と、繰り出し手段２と、巻きつけ手段３と、第１回転制御手段４とから構成されている。ワイヤロープ１は、例えば銅線や鋼線等の金属製線であることが望ましい。金属は比重が大きいため、重りに向いているからである。繰り出し手段２及び巻きつけ手段３はいずれも、ワイヤロープ１の繰り出し及び巻きつけが可能な、例えば、ドラム(＝リール)である。具体的には、繰り出し手段２及び巻きつけ手段３は、横向き円柱形の本体５aと、本体５aの両側にフランジ５bが接合され、各フランジ５bの略中心から外側方向に支軸１０が突出しているドラム５と、ドラム５を載せるウエイト架台６と、ドラム５を支持する支持部材７と、ドラム５を持ち上げたり、下ろしたりするジャッキ９で構成され、ドラム５はウエイト架台６上に支持部材７とジャッキ９によって、回転自在に支持されている。そして、このドラム５の本体５aの外周にワイヤロープ１が巻きつけられる。
【００２７】
繰り出し手段２のドラム５の本体５a（巻きつけ手段３と同様な構成のため、図は省略）は、ワイヤロープ１の一端が接続固定され、また必要に応じた量のワイヤロープ１を巻きつけ手段３に供給できるように、あらかじめワイヤロープ１が巻きつけられている。一方、巻きつけ手段３のドラム５の本体５aは、ワイヤロープ１の他端が接続固定されている。第１回転制御手段４は、巻きつけ手段３のドラム５を回転制御可能な、例えば電動のドラム回転装置であり、巻きつけ手段３のドラム５のフランジ５bの外周縁と当接自在な位置に設けられている。なお、第１回転制御手段４は、バッテリー(図示省略)を接続してバッテリの電圧を用いて回転制御を行う構成でも良いし、いわゆる電動機付きアシスト自転車のように、作業員がペダルを踏んで、その力を電動機(図示省略)で増大させて回転制御を行う構成でも良い。
【００２８】
次にウエイトＡの設置方法について、図１〜図５を用いて具体的に説明する。なお図１は、上述したように、スペースがなく、図９における点線２７で囲まれたような状態の根枷２６を設置する余裕が無い場所に、鉄塔１４が建設されている場合において、ウエイトを配設することにより構成したウエイトＡの平面図である。鉄塔１４は、鉄塔アーム１９を有しており、鉄塔アーム１９の端部まで電線ケーブル２０が張られている。
【００２９】
まず、トラック１３等の車両で、車両が搬入可能な地点まで近づいてウエイトＡの構成部材を運搬する。次いで、ワイヤロープ１、繰り出し手段２、巻きつけ手段３等のウエイトＡの構成部材を、人手で搬送し、巻きつけ手段３の設置箇所付近、つまり実際に重りを置く箇所付近に配置する。そして当該箇所に、繰り出し手段２を設置する。
【００３０】
繰り出し手段２は、図１に示すように、トラック１３等の車両の荷台に設置しても良い。繰り出し手段２をトラック１３の荷台に配置すれば、荷台の高さの分だけ高い位置からワイヤロープ１を繰り出すこととなり、ワイヤロープ１を繰り出し易くなる。また、上述したように、設置された繰り出し手段２のドラム５は、ウエイト架台６上に支持部材７とジャッキ９によって、回転自在に支持されている。更に、繰り出し手段２は、ワイヤロープ１の一端が接続固定され、また必要に応じた量のワイヤロープ１を巻きつけ手段３に供給できるように、あらかじめワイヤロープ１が巻きつけられている。
【００３１】
次に、巻きつけ手段３を設置する。具体的には図３に示すように、巻きつけ手段３を設置しようとする場所までＨ型鋼部材６aを作業員が人力で運搬し、当該場所に、四辺形枠にＨ型鋼部材６aを組んでウエイト架台６を配置する。それから、図４に示すようにウエイト架台６の両側に、ドラム５を支持する２本の支持部材７を、間隔８をあけて夫々立設する。そして、ウエイト架台６の両側の各間隔８に夫々ジャッキ９を立設する。なお、間隔８は、ドラム５の両側から突出している支軸１０の嵌め込み及び取り外しが自在な大きさとする。また、第１回転制御手段４を、ドラム５のフランジ５bの外周縁と当接自在な位置に設ける。なお、この第１回転制御手段４はウエイト架台６上に固定自在となっている
【００３２】
次に、ドラム５の両側の支軸１０を、両側の支持部材７の間の間隔８に、夫々真上から嵌め込んで、ドラム５をウエイト架台６上に、ジャッキ９によって持ち上げられた状態でセットする。これにより、第１回転制御手段４がドラム５のフランジ５bの外周縁に当接する構成となっている。
【００３３】
次に、繰り出し手段２のドラム５からワイヤロープ１を繰り出していく。なお、図１に示すように、巻きつけ手段３までの経路に、構築物等の障害物がある場合等は、適宜、滑車１５を設けて、滑車１５にワイヤロープ１を通して、経路を屈曲させる。このようにワイヤロープ１を滑車１５に通すことで、経路が屈曲している場合であっても、スムーズに経路を確保することができる。
【００３４】
そして、図２に示すように、巻きつけ手段３の本体５aの適宜の箇所にワイヤロープ１の他端を接続固定する。それから第１回転制御手段４を駆動させて、巻きつけ手段３のドラム５を回転させ、ワイヤロープ１をドラム５の本体５aの外周に巻きつけていく。
【００３５】
巻きつけたワイヤロープ１によって、巻きつけ手段３のドラム５が必要な重量になった場合には、第１回転制御手段４をドラム５のフランジ５bから外し、ジャッキ９を操作してドラム５を下降させ、ウエイト架台６に載せる。更に、支持部材７、ジャッキ９をウエイト架台６から取り外す。それから図５に示すように、アングル状の転動防止金具１１を、ドラム５の両側のフランジ５bに夫々真横から当接するように配置して、ドラム５をウエイト架台６上に固定する。また、ドラム５の両側の支軸１０と、ウエイト架台６とを転動防止ワイヤ１２で結ぶ。つまり、転動防止金具１１と転動防止ワイヤ１２を用いて、ワイヤロープ１が巻きつけられたドラム５がウエイト架台６から動かないように固定する。そして図１に示すように、ワイヤロープ１が巻きつけられたドラム５とウインチ２３とをワイヤ１７等で接続し、ウインチ２３を、ウエイトで固定する。これでウエイトＡの設置が完了する。
【００３６】
その後、電線ケーブル２０の端部を、金車２２を介して、ワイヤ２１と接続し、当該ワイヤ２１をウインチ２３まで牽引して、ウインチ２３のホイール(図示省略)に巻き回し、リールワインダ(図示省略)に巻き回して固定する。
【００３７】
なおウエイトＡは、図６に示すようにワイヤロープ１が巻きつけられた複数のドラム５を、仮設の工作物１８の基礎の上に設置して、工作物１８の引揚荷重に対抗する重しとして使用することもできる。
【００３８】
このように、ウエイトＡでは、重りとなるワイヤロープ１を離れた場所から、巻きつけ手段３の設置箇所に徐々に運び込む構成であるため、重機や車両が搬入できないような狭隘な場所へも，簡単にウエイトを設置することができるので，搬入路を確保する作業が不要となった。
【００３９】
また、重りとなるワイヤロープ１を巻きつけ手段３の設置箇所に徐々に運び込む構成であるため、図７に示すように巻きつけ手段３の設置箇所までの経路途中に住宅の間等、狭隘な箇所があっても、現地でウエイトを設置することができる。また、Ｈ鋼やコンクリートブロックや金属塊をウエイトとして使用していた従来は、ウエイトを設置する場所に穴を掘って、現地で必要な荷重に対する根枷等のウエイトを設置していたが、ウエイトＡの場合には、穴を掘る必要がなく、穴の掘り起こしの手間が省ける。
【００４０】
またウエイトＡは、主としてワイヤロープ１、繰り出し手段２、巻きつけ手段３から構成されているため、撤去も容易で、取壊し作業や整地作業も不要である。
【００４１】
また、巻きつけ手段３のドラム５に巻きつけるワイヤロープ１の量を調節することで、必要に応じた重さのウエイトを提供することができるため、重さの異なる多種類のウエイトを取り揃えておく必要がなくなり、便宜である。さらに、本実施例のように、繰り出し手段２及び巻きつけ手段３に、ドラム５を使用する構成とすれば、既存のドラムを流用でき、便宜である。
【００４２】
なお、本実施例においては、巻きつけ手段３に、当該巻きつけ手段３のドラム５を回転させる第１回転制御手段４を設ける構成を示したが、更に、繰り出し手段２に、第１回転制御手段４と同様の構成の、繰り出し手段２のドラム５を回転させる第２回転制御手段(図示省略)を設ける構成を付加しても良い。巻きつけ手段３だけでなく、繰り出し手段２にも回転制御手段を設ける構成とすれば、ワイヤロープ１の繰り出し、巻きつけがよりスムーズになり、便宜である。またウエイトＡを撤去ないし回収する場合に、繰り出し手段２に、使用したワイヤロープ１を戻して巻きつけることが可能となり、作業終了時の時間短縮等に効果的である。
【００４３】
また、本実施例においては、巻きつけ手段３のドラム５に巻きつける可変体エレメントとして、ワイヤロープ１を使用する構成を示したが、沖合いに設置する魚網の重りのように網状体に適宜間隔をあけて重りを取付けた網状重りを使用する構成としても良い。
【００４４】
また本実施例では、ドラム５が、ウエイト架台６上に支持部材７とジャッキ９によって、回転自在に支持され、ワイヤロープ１の一端が接続固定され、ワイヤロープ１が巻きつけられている状態の繰り出し手段２を、巻きつけ手段３の設置箇所付近、つまり実際に重りを置く箇所付近に配置する構成を示したが、巻きつけ手段３と同様に、その場で繰り出し手段２を組み立てる構成としても良い。
【００４５】
また、本実施例においては、ワイヤロープ１、繰り出し手段２、巻きつけ手段３等からなるウエイトＡを用いる構成を示したが、可変体エレメントを充填する充填先の容器を、当該充填先の容器より高い位置に配置され、可変体エレメントが充填されている充填元の容器から離れた場所に設置し、前記充填元の容器から前記充填先の容器までの間にホース等の流体移動可能体を配設し、当該流体移動可能体を通じて、可変体エレメントを任意の重量だけ充填先の容器に移動させる構成としても良い。この場合に用いる可変体エレメントは、例えば、水、お湯、泥、土砂、金属粉等の流体である。ウエイトの使用後は、水等の可変体エレメントは、水中ポンプ等を使用すれば、充填先の容器から充填元の容器へ戻すことができる。
【００４６】
また、充填元の容器を高い位置に設置する構成ではなく、付近に川や池等がある場合には、その川等から水中ポンプ(図示省略)で、可変体エレメントである水をくみ上げて、その水をホース等の流体移動可能体を介して、充填先の容器に、移動させる構成としても良い。このような構成とすれば、充填元の容器が不要となり、便宜である。さらに可変体エレメントとして使用した水は、ウエイトの使用後は、川等に戻せば良く、可変体エレメントを運搬する必要がなくなり、また水資源を無駄にすることもなく、便宜である。
【図面の簡単な説明】
【００４７】
【図１】この発明に係るウエイトＡの構成を平面から示す平面図である。
【図２】この発明に係るウエイトＡの巻きつけ手段のドラムを、第１回転制御手段によって回転させて、ワイヤロープを巻きつけ手段のドラムに巻きつけている状態を示す斜視図である。
【図３】この発明に係るウエイトＡのウエイト架台が配置された状態を示す斜視図である。
【図４】この発明に係るウエイトＡの巻きつけ手段のドラムがウエイト架台上に、ジャッキで持ち上げられて、設置された状態を示す斜視図である。
【図５】この発明に係るウエイトＡの巻きつけ手段のドラムがウエイト架台上に設置された状態を示す斜視図である。
【図６】この発明に係るウエイトＡのワイヤロープが巻きつけられたドラムを工作物の重しとして使用した状態を示す斜視図である。
【図７】経路途中に狭隘な箇所がある場合にウエイトＡを設置している状態を示す平面図である。
【図８】使用機器を固定する場合に用いる、従来のウエイトとして、根枷を設置している状態を示す正面図である。
【図９】狭隘な場所で鉄塔の電線ケーブルを牽引するウインチ等の使用機器を固定する場合に用いる、従来のウエイトとして、金車を介して、鉄塔とほぼ並ぶようにして根枷を設置している状態を示す正面図である。
【符号の説明】
【００４８】
Ａ：ウエイト
１：ワイヤロープ、２：繰り出し手段、３：巻きつけ手段、４：第１回転制御手段、５：ドラム、５a：本体、５b：フランジ、６：ウエイト架台、６a：Ｈ型鋼部材、７：支持部材、８：間隔、９：ジャッキ、１０：支軸、１１：転動防止金具、１２：転動防止ワイヤ、１３：トラック、１４：鉄塔、１５：滑車、１７：ワイヤ、１８：工作物、１９：鉄塔アーム、２０：電線ケーブル、２１：ワイヤ、２２：金車、２３：ウインチ、２４：ワイヤ、２５：Ｈ鋼、２６：根枷、２７：点線
【図１】
0005612383.tif 000002
【図２】
0005612383.tif 000003
【図３】
0005612383.tif 000004
【図４】
0005612383.tif 000005
【図５】
0005612383.tif 000006
【図６】
0005612383.tif 000007
【図７】
0005612383.tif 000008
【図８】
0005612383.tif 000009
【図９】
0005612383.tif 000010